(57)【要約】【課題】  ユーザの誤操作により、支払う意志のない著作権料相当額を支払うという不利益をユーザに対して被らせることのない画像処理装置を提供する。【解決手段】  原稿に予め付与された識別情報に対応した課金情報に基づき、読取手段による原稿の読み取り又は出力手段による画像データの出力に対する課金を算出する画像処理装置の制御方法において、課金額の表示を行ってから所定時間内に指示の入力がなかった場合、読取手段による原稿の読み取り又は出力手段による画像データの出力を中止する。【選択図】        図５
2005085202.tif 000002
【特許請求の範囲】
【請求項１】
原稿を読み取る読取手段と、
前記読取手段で読み取られた画像データを出力する出力手段と、
前記原稿に予め付与された識別情報を取得する識別情報取得手段と、
識別情報と対応付けられた課金情報を記憶する課金情報記憶手段と、
前記課金情報記憶手段に記憶された課金情報の中から、前記識別情報取得手段で取得された識別情報に対応した課金情報を特定する特定手段と、
前記読取手段による読み取り又は前記出力手段による出力に対する課金を算出する課金算出手段とを有し、
前記課金算出手段は、前記特定手段が前記識別情報取得手段で取得された識別情報に対応した課金情報を特定できた場合、前記特定手段で特定された課金情報に基づき、前記読取手段による読み取り又は前記出力手段による出力に対する課金を算出する画像処理装置において、
前記課金算出手段で算出した課金額を表示する表示手段と、
操作入力を行う操作入力手段と、
前記表示手段による課金額の表示を行ってから所定時間内に前記操作入力手段からの前記読取手段による読み取り又は前記出力手段による出力を指示する入力がなかった場合、前記識別情報取得手段で取得された識別情報が付与された原稿に基づく前記読取手段による読み取り又は前記出力手段による出力を中止する制御を行う制御手段とを有することを特徴とする画像処理装置。
【請求項２】
原稿を読み取る読取手段と、
前記読取手段で読み取られた画像データを出力する出力手段と、
前記原稿に予め付与された識別情報を取得する識別情報取得手段と、
識別情報と対応付けられた著作権情報を記憶する著作権情報記憶手段と、
前記著作権情報記憶手段に記憶された著作権情報の中から、前記識別情報取得手段で取得された識別情報に対応した著作権情報を特定する特定手段と、
前記特定手段で特定された著作権情報に基づき、前記読取手段又は前記出力手段を制御する制御手段とを有する画像処理装置において、
前記識別情報取得手段による識別情報の取得は、所定の領域に電波エリアを形成し、この電波エリア内に存在する無線媒体の識別情報を取得することによって行われることを特徴とする画像処理装置。
【請求項３】
前記読取手段による読み取り又は前記出力手段による出力に対する課金を算出する課金算出手段を有し、
前記特定手段において、前記識別情報取得手段で取得された識別情報に対応した著作権情報を特定できた場合、前記課金算出手段は、前記特定手段で特定された著作権情報に基づき、前記読取手段による読み取り又は前記出力手段による出力に対する課金を算出することを特徴とする請求項２に記載の画像処理装置。
【請求項４】
前記画像処理装置を利用するユーザのユーザＩＤを入力するユーザＩＤ入力手段と、
前記ユーザＩＤ入力手段で入力されたユーザＩＤと、前記識別情報取得手段で取得された識別情報と、前記識別情報取得手段で取得された識別情報が付与された原稿に基づく前記読取手段による読み取りの履歴又は前記出力手段による出力の履歴とを対応付けて記憶するジョブ履歴記憶手段とを有することを特徴とする請求項１又は３に記載の画像処理装置。
【請求項５】
前記課金算出手段は、前記ジョブ履歴記憶手段に記憶された情報に基づき、前記画像処理装置を利用するユーザのユーザＩＤ毎に前記読取手段による読み取り又は前記出力手段による出力に対する課金を集計することを特徴とする請求項４に記載の画像処理装置。
【請求項６】
前記課金算出手段は、前記ジョブ履歴記憶手段に記憶された情報に基づき、前記識別情報取得手段で取得された識別情報毎に前記読取手段による読み取り又は前記出力手段による出力に対する課金を集計することを特徴とする請求項４又は５に記載の画像処理装置。
【請求項７】
原稿に予め付与された識別情報を取得する識別情報取得工程と、
予め識別情報と対応付けて記憶された課金情報の中から、取得された識別情報に対応した課金情報を特定する課金情報特定工程と、
特定された課金情報に基づき、読取手段による原稿の読み取り又は出力手段による前記読取手段で読み取られた画像データの出力に対する課金を算出する課金算出工程とを含む画像処理装置の制御方法において、
算出された課金の金額を表示する金額表示工程と、
課金額の表示を行ってから所定時間内に読取手段による原稿の読み取り又は出力手段による前記読取手段で読み取られた画像データの出力を指示する入力がなかった場合、読取手段による原稿の読み取り又は出力手段による前記読取手段で読み取られた画像データの出力を中止する出力中止工程とを含むことを特徴とする画像処理装置の制御方法。
【請求項８】
原稿に予め付与された識別情報を取得する識別情報取得工程と、
予め識別情報と対応付けて記憶された著作権情報の中から、取得された識別情報に対応した著作権情報を特定する著作権情報特定工程と、
特定された著作権情報に基づき、読取手段による原稿の読み取り又は出力手段による前記読取手段で読み取られた画像データの出力を制御する制御工程とを含む画像処理装置の制御方法において、
前記識別情報取得工程は、所定の領域に電波エリアを形成し、この電波エリア内に存在する無線媒体の識別情報を取得することによって行われることを特徴とする画像処理装置の制御方法。
【請求項９】
取得された識別情報に対応した著作権情報を特定できた場合、特定された著作権情報に基づき、前記読取手段による読み取り又は前記出力手段による出力に対する課金を算出する課金算出工程を含むことを特徴とする請求項８に記載の画像処理装置の制御方法。
【請求項１０】
画像処理装置を利用するユーザのユーザＩＤを入力するＩＤ入力工程と、
入力されたユーザＩＤと、取得された識別情報と、取得された識別情報が付与された原稿に基づく前記読取手段による読み取りの履歴又は前記出力手段による出力の履歴とを対応付けてジョブ履歴として記憶するジョブ履歴記憶工程とを含むことを特徴とする請求項７又は９に記載の画像処理装置の制御方法。
【請求項１１】
ジョブ履歴に基づき、前記画像処理装置を利用するユーザのユーザＩＤ毎に前記読取手段による読み取り又は前記出力手段による出力に対する課金を集計する課金集計工程を含むことを特徴とする請求項１０に記載の画像処理装置の制御方法。
【請求項１２】
ジョブ履歴に基づき、取得された識別情報毎に前記読取手段による読み取り又は前記出力手段による出力に対する課金を集計する課金集計工程を含むことを特徴とする請求項１０又は１１に記載の画像処理装置の制御方法。
【請求項１３】
請求項１〜６の何れか１項に記載の各手段としてコンピュータを機能させるためのプログラムを記録したことを特徴とするコンピュータ読み取り可能な記憶媒体。
【請求項１４】
請求項７〜１２の何れか１項に記載の方法をコンピュータに実行させるためのプログラムを記録したことを特徴とするコンピュータ読み取り可能な記憶媒体。
【請求項１５】
請求項１〜６の何れか１項に記載の各手段としてコンピュータを機能させるためのプログラム。
【請求項１６】
請求項７〜１２の何れか１項に記載の方法をコンピュータに実行させるためのプログラム。
【発明の詳細な説明】
【技術分野】
【０００１】
本発明は、画像処理装置、その制御方法及びプログラムに関する。
【背景技術】
【０００２】
近年、著作者の正当な権利を保護する機運が高まっており、デジタル化されたデータについては、例えば複製制御（コピーコントロール）ＣＤ、コピー世代制御システム（ＣＧＭＳ：Ｃｏｐｙ  Ｇｅｎｅｒａｔｉｏｎ  Ｍａｎａｇｅｍｅｎｔ  Ｓｙｓｔｅｍ）、デジタルコピー防止規格（ＳＣＭＳ：  Ｓｅｒｉａｌ  Ｃｏｐｙ  Ｍａｎａｇｅｍｅｎｔ  Ｓｙｓｔｅｍ）等の技術が知られている。
【０００３】
一方、複写機やスキャナ等の画像処理装置においても、小説等の著作物の不法なコピーを阻止したり、正当な対価が著作者に支払われるようにする技術が提案されている。
【０００４】
例えば、片綴じ原稿に記されている小説等の作品に対する著作権を保護するために、片綴じ原稿に付されたＩＳＢＮ（国際標準図書番号）などの識別情報を、バーコードリーダなどの識別情報読取手段によって読み取り、読取結果と、記憶手段に記憶している関連付け情報とに基づいて、該識別情報に対応する著作権情報を特定する。そして、特定した著作権情報が片綴じ原稿に記されている作品の著作権を保護すべき旨の内容であった場合には、例えばユーザに対してその旨を報知して注意を促したり、出力手段による出力を制限したりなどする原稿読取装置が知られている（例えば特許文献１）。
【０００５】
また、機密文書の複写に関して、ユーザ及び文書の両面からきめ細かい機密管理を行い、機密事項の不要な漏洩を防ぐことを目的として、原稿に埋め込まれているＲＦＩＤ（Ｒａｄｉｏ  Ｆｒｅｑｕｅｎｃｙ  Ｉｄｅｎｔｉｆｉｃａｔｉｏｎ）を読み取り、読み取ったＲＦＩＤに基づいて、その原稿の複写を行うか否かを制御する複写機が知られている（例えば特許文献２）。
【特許文献１】特開２００２−３１４７８７号公報
【特許文献２】特開２００１−１６０１１７号公報
【発明の開示】
【発明が解決しようとする課題】
【０００６】
ところが、特許文献１に記載の原稿読取装置では、全ての原稿を読み取った後、画像データを出力するに際して著作権料相当の支払を求められる場合があり、その際には支払うべき著作権料相当額（及びコピー料金）とその支払を受諾するか否かを求める画面が表示されることになるが、ユーザによっては、その画面に対する回答を保留したまま、原稿読取装置の元を立ち去る場合がある。このような場合に、他のユーザが支払を受諾する旨回答をすると、回答を保留したユーザあるいは他のユーザは支払う意志のない著作権料相当額を支払うことになり、また他のユーザは所望していない原稿の出力を得ることになってしまう。
【０００７】
本発明はこのような現状に鑑みてなされたものであり、ユーザの誤操作により、支払う意志のない著作権料相当額を支払うという不利益をユーザに対して被らせることのない画像処理装置を提供することを第１の目的とする。
【０００８】
また、特許文献１に記載の原稿読取装置では、識別情報をバーコードリーダによって読み取っているため、ユーザにとっては、通常の原稿読取操作に加えて、原稿の中から識別情報が付された箇所を見つけ出して、をバーコードリーダによって読み取る作業が必要となり作業が煩雑となる。また、ようやく見つけ出した識別情報をバーコードリーダによって読み取ったところ、出力手段による出力が禁止されている原稿であることが判明した場合には、ユーザにとっては相当の工数が無駄なものとなる。
【０００９】
そこで本発明は、ユーザに煩雑な作業を強いることなく、小説等の著作物の不法なコピーを阻止したり、正当な対価が著作者に支払われることを可能とした画像処理装置を提供することを第２の目的とする。
【００１０】
さらに、画像処理装置の導入初期に著作権情報や識別情報に不備があった場合、原稿読み取りやコピー出力等の画像処理動作を続行することが不可能となる場合が想定される。そこで本発明は、著作権情報や識別情報に不備があった場合であっても、原稿読み取りやコピー出力を行うことを可能とした画像処理装置を提供することを他の目的とする。
【課題を解決するための手段】
【００１１】
請求項１に係る発明は、原稿を読み取る読取手段と、
前記読取手段で読み取られた画像データを出力する出力手段と、
前記原稿に予め付与された識別情報を取得する識別情報取得手段と、
識別情報と対応付けられた課金情報を記憶する課金情報記憶手段と、
前記課金情報記憶手段に記憶された課金情報の中から、前記識別情報取得手段で取得された識別情報に対応した課金情報を特定する特定手段と、
前記読取手段による読み取り又は前記出力手段による出力に対する課金を算出する課金算出手段とを有し、
前記課金算出手段は、前記特定手段が前記識別情報取得手段で取得された識別情報に対応した課金情報を特定できた場合、前記特定手段で特定された課金情報に基づき、前記読取手段による読み取り又は前記出力手段による出力に対する課金を算出する画像処理装置において、
前記課金算出手段で算出した課金額を表示する表示手段と、
操作入力を行う操作入力手段と、
前記表示手段による課金額の表示を行ってから所定時間内に前記操作入力手段からの前記読取手段による読み取り又は前記出力手段による出力を指示する入力がなかった場合、前記識別情報取得手段で取得された識別情報が付与された原稿に基づく前記読取手段による読み取り又は前記出力手段による出力を中止する制御を行う制御手段とを有することを特徴とする画像処理装置である。
【００１２】
請求項２に係る発明は、原稿を読み取る読取手段と、
前記読取手段で読み取られた画像データを出力する出力手段と、
前記原稿に予め付与された識別情報を取得する識別情報取得手段と、
識別情報と対応付けられた著作権情報を記憶する著作権情報記憶手段と、
前記著作権情報記憶手段に記憶された著作権情報の中から、前記識別情報取得手段で取得された識別情報に対応した著作権情報を特定する特定手段と、
前記特定手段で特定された著作権情報に基づき、前記読取手段又は前記出力手段を制御する制御手段とを有する画像処理装置において、
前記識別情報取得手段による識別情報の取得は、所定の領域に電波エリアを形成し、この電波エリア内に存在する無線媒体の識別情報を取得することによって行われることを特徴とする画像処理装置である。
【００１３】
請求項３に係る発明は、前記読取手段による読み取り又は前記出力手段による出力に対する課金を算出する課金算出手段を有し、
前記特定手段において、前記識別情報取得手段で取得された識別情報に対応した著作権情報を特定できた場合、前記課金算出手段は、前記特定手段で特定された著作権情報に基づき、前記読取手段による読み取り又は前記出力手段による出力に対する課金を算出することを特徴とする請求項２に記載の画像処理装置である。
【００１４】
請求項４に係る発明は、前記画像処理装置を利用するユーザのユーザＩＤを入力するユーザＩＤ入力手段と、
前記ユーザＩＤ入力手段で入力されたユーザＩＤと、前記識別情報取得手段で取得された識別情報と、前記識別情報取得手段で取得された識別情報が付与された原稿に基づく前記読取手段による読み取りの履歴又は前記出力手段による出力の履歴とを対応付けて記憶するジョブ履歴記憶手段とを有することを特徴とする請求項１又は３に記載の画像処理装置である。
【００１５】
請求項５に係る発明は、前記課金算出手段は、前記ジョブ履歴記憶手段に記憶された情報に基づき、前記画像処理装置を利用するユーザのユーザＩＤ毎に前記読取手段による読み取り又は前記出力手段による出力に対する課金を集計することを特徴とする請求項４に記載の画像処理装置である。
【００１６】
請求項６に係る発明は、前記課金算出手段は、前記ジョブ履歴記憶手段に記憶された情報に基づき、前記識別情報取得手段で取得された識別情報毎に前記読取手段による読み取り又は前記出力手段による出力に対する課金を集計することを特徴とする請求項４又は５に記載の画像処理装置である。
【００１７】
請求項７に係る発明は、原稿に予め付与された識別情報を取得する識別情報取得工程と、
予め識別情報と対応付けて記憶された課金情報の中から、取得された識別情報に対応した課金情報を特定する課金情報特定工程と、
特定された課金情報に基づき、読取手段による原稿の読み取り又は出力手段による前記読取手段で読み取られた画像データの出力に対する課金を算出する課金算出工程とを含む画像処理装置の制御方法において、
算出された課金の金額を表示する金額表示工程と、
課金額の表示を行ってから所定時間内に読取手段による原稿の読み取り又は出力手段による前記読取手段で読み取られた画像データの出力を指示する入力がなかった場合、読取手段による原稿の読み取り又は出力手段による前記読取手段で読み取られた画像データの出力を中止する出力中止工程とを含むことを特徴とする画像処理装置の制御方法である。
【００１８】
請求項８に係る発明は、原稿に予め付与された識別情報を取得する識別情報取得工程と、
予め識別情報と対応付けて記憶された著作権情報の中から、取得された識別情報に対応した著作権情報を特定する著作権情報特定工程と、
特定された著作権情報に基づき、読取手段による原稿の読み取り又は出力手段による前記読取手段で読み取られた画像データの出力を制御する制御工程とを含む画像処理装置の制御方法において、
前記識別情報取得工程は、所定の領域に電波エリアを形成し、この電波エリア内に存在する無線媒体の識別情報を取得することによって行われることを特徴とする画像処理装置の制御方法である。
【００１９】
請求項９に係る発明は、取得された識別情報に対応した著作権情報を特定できた場合、特定された著作権情報に基づき、前記読取手段による読み取り又は前記出力手段による出力に対する課金を算出する課金算出工程を含むことを特徴とする請求項８に記載の画像処理装置の制御方法である。
【００２０】
請求項１０に係る発明は、画像処理装置を利用するユーザのユーザＩＤを入力するＩＤ入力工程と、
入力されたユーザＩＤと、取得された識別情報と、取得された識別情報が付与された原稿に基づく前記読取手段による読み取りの履歴又は前記出力手段による出力の履歴とを対応付けてジョブ履歴として記憶するジョブ履歴記憶工程とを含むことを特徴とする請求項７又は９に記載の画像処理装置の制御方法である。
【００２１】
請求項１１に係る発明は、ジョブ履歴に基づき、前記画像処理装置を利用するユーザのユーザＩＤ毎に前記読取手段による読み取り又は前記出力手段による出力に対する課金を集計する課金集計工程を含むことを特徴とする請求項１０に記載の画像処理装置の制御方法である。
【００２２】
請求項１２に係る発明は、ジョブ履歴に基づき、取得された識別情報毎に前記読取手段による読み取り又は前記出力手段による出力に対する課金を集計する課金集計工程を含むことを特徴とする請求項１０又は１１に記載の画像処理装置の制御方法である。
【００２３】
請求項１３に係る発明は、請求項１〜６の何れか１項に記載の各手段としてコンピュータを機能させるためのプログラムを記録したことを特徴とするコンピュータ読み取り可能な記憶媒体である。
【００２４】
請求項１４に係る発明は、請求項７〜１２の何れか１項に記載の方法をコンピュータに実行させるためのプログラムを記録したことを特徴とするコンピュータ読み取り可能な記憶媒体である。
【００２５】
請求項１５に係る発明は、請求項１〜６の何れか１項に記載の各手段としてコンピュータを機能させるためのプログラムである。
【００２６】
請求項１６に係る発明は、請求項７〜１２の何れか１項に記載の方法をコンピュータに実行させるためのプログラムである。
【発明の効果】
【００２７】
請求項１又は７に記載の発明によれば、表示手段による課金額の表示を行ってから所定時間内に操作入力手段からの読取手段による読み取り又は前記出力手段による出力を行う指示の入力がなかった場合、識別情報取得手段で取得された識別情報が付与された原稿に基づく読取手段による読み取り又は出力手段による出力を中止する制御を行うので、著作権料相当額（及びコピー料金）の支払受諾を保留したまま、原稿読取装置の元を立ち去るユーザがいても、所定時間経過後にはに支払う意志のない著作権料相当額を支払うという不利益をユーザに対して被らせることがない。
【００２８】
請求項２又は８に記載の発明によれば、識別情報取得手段による識別情報の取得は、所定の領域に電波エリアを形成し、この電波エリア内に存在する無線媒体の識別情報を取得することによって行われるので、ユーザは識別情報が付された箇所を探し出すことなく、当該識別情報が付された原稿の識別情報と対応付けられた著作権情報に基づく、出力の制限や著作権料の支払義務を知ることができ、ユーザにとって煩雑な作業や無駄な工数を発生させることなく、著作物の不法なコピーを阻止したり、正当な対価が著作者に支払われることを可能とする。
【００２９】
請求項３又は９に記載の発明によれば、取得された識別情報に対応した著作権情報を特定できた場合、特定された著作権情報に基づき、前記読取手段による読み取り又は前記出力手段による出力に対する課金を算出するので、著作権者の正当な権利を保護することができる一方、取得された識別情報に対応した著作権情報を特定できなかった場合には、通常の課金処理のみを行うので、当該画像処理装置の導入初期に著作権情報や識別情報に不備があった場合であっても、ユーザは原稿読み取りやコピー出力を行うことが可能となる。
【００３０】
請求項４又は１０に記載の発明によれば、入力されたユーザＩＤと、取得された識別情報と、取得された識別情報が付与された原稿に基づく前記読取手段による読み取りの履歴又は前記出力手段による出力の履歴とを対応付けてジョブ履歴として記憶することにより、著作権料の徴収ならびに支払を確実に行うことが可能となる。
【００３１】
請求項５又は１１に記載の発明によれば、ジョブ履歴に基づき、前記画像処理装置を利用するユーザのユーザＩＤ毎に前記読取手段による読み取り又は前記出力手段による出力に対する課金を集計するので、ユーザ毎に著作権料がいくら課金されているのか、容易に知ることができ、ユーザ毎の著作権料の徴収を漏れなく、確実に行うことが可能となる。
【００３２】
請求項６又は１２に記載の発明によれば、ジョブ履歴に基づき、取得された識別情報毎に前記読取手段による読み取り又は前記出力手段による出力に対する課金を集計するので、識別情報毎に著作権料を支払わなければならないのか、容易に知ることができ、著作権者毎に著作権料の支払を漏れなく、確実に行うことが可能となる。
【発明を実施するための最良の形態】
【００３３】
以下、本発明の画像処理装置の一実施形態について説明する。図１には、画像処理装置の全体構成が概略的に示されている。なお、本実施形態では、画像処理装置として、プリント機能、コピー機能、スキャナ機能など多機能を有するスキャナ付プリンタを例に説明する。
【００３４】
図１において、画像処理装置Ａは、読取手段である原稿読取装置１０、自動原稿送り装置２０、出力手段であるプリンタ３０とを備えており、プリンタ３０は、画像形成部３１、画像処理部３２、画像書込部３３、高圧電源部３４、給紙搬送部３５、定着部３６、排紙部３７、自動両面コピーのための再搬送手段（ＡＤＵ）３８を備えている。
【００３５】
自動原稿送り装置２０の原稿給紙台２１上に第１面を上向きにして載置された原稿ｄ２は、給紙ローラ２２、分離ローラ２３により送り出されて、レジストローラ２４を経て搬送路２５を通過して、原稿案内部材２６とスリット露光用ガラス１２の上面とが対向する位置において、原稿読取装置１０の光学系により原稿ｄ２の片面又は両面の画像が読み取られる。読み取り処理後の原稿ｄ２は排紙ローラ２７により排出され、原稿押さえカバー兼用の原稿排出台（以下、単に原稿排出台という）２８上に載置される。自動原稿送り装置２０は、片面原稿読み取り機能と両面原稿読み取り機能とを有する。
【００３６】
原稿読取装置１０の光学系は、光源（参照符号なし）と第１ミラー１６１とを備える露光ユニット１６、第２ミラー１７１と第３ミラー１７２から成るＶミラーユニット１７、結像レンズ１８、及び、ＣＣＤイメージセンサ（以下、単にＣＣＤという）１９により構成されている。
【００３７】
自動原稿送り装置２０による原稿読み取りは、露光ユニット１６がスリット露光用ガラス１２の下方に停止した位置において、停止している露光ユニット１６を原稿ｄ２が通過するときに行われる。また、原稿台ガラス１１上に載置された原稿ｄ１の読み取りは、露光ユニット１６、Ｖミラーユニット１７を移動させながら走査露光して行われる。原稿ｄ１又は原稿ｄ２の読み取られた画像信号はＣＣＤ１９により光電変換され、画像処理部３２において、アナログ処理、Ａ／Ｄ変換、シェーディング補正、画像圧縮処理等を行った後、画像書込部３３に送られる。
【００３８】
なお、原稿ｄ２には識別情報を有する無線媒体であるＲＦＩＤタグが埋め込まれており、識別情報取得手段であるリーダ・ライタ１００は露光ユニット１６及び原稿給紙台２１に取り付けられている。これにより、自動原稿送り装置２０による原稿読み取りにおいては原稿給紙台２１に載置された全ての原稿に付与された識別情報を一括して取得することができるとともに、露光ユニット１６を通過する原稿に付与された識別情報を１枚毎に個別に取得することもできる。また、ブック型原稿の如く、原稿台ガラス１１上に載置された原稿を読み取る場合においても、ブック型原稿に付与された識別情報を取得することができる。なお、リーダ・ライタ１００が取り付けられた露光ユニット１６は、例えば特開２００１−２４８４５号公報に記載のものが使用できる。
【００３９】
画像書込部３３においては、半導体レーザからの出力光が画像形成部３１の像担持体３１Ａに照射され、潜像を形成する。画像形成部３１においては、帯電、露光、現像、転写、分離、クリーニング等の処理が行われ、給紙搬送部３５の給紙カセット３５Ａから給紙された用紙Ｓに画像が転写される。画像を担持した用紙Ｓは、定着部３６により定着され、排紙部３７から排紙トレイ３７Ｃに排出される。あるいは排紙路切り替え板３７Ａにより再搬送手段３８に送り込まれた片面画像処理済みの用紙Ｓは、再び画像形成部３１において両面画像処理された後、排紙部３７の排紙ローラ３７Ｂにより排紙トレイ３７Ｃに排出される。
【００４０】
ここで、識別情報を有する無線媒体であるＲＦＩＤタグ、及び識別情報取得手段であるリーダ・ライタ１００の電気的構成を説明する。
【００４１】
まず、原稿ｄ２に埋め込まれたＲＦＩＤタグ４０は、図２（ａ）に示すように、電波信号を送受信するためのアンテナ用コイル４１と、共振コンデンサ４２と、変復調回路４３と、ＣＰＵ４４と、整流・平滑回路４５と、メモリ部を構成するＲＯＭ４６及び情報を読み書き可能な記憶素子、例えば消去可能な不揮発性メモリとしてのＥＥＰＲＯＭ４７とから構成されている。
【００４２】
アンテナ用コイル４１は、共振コンデンサ４２と並列に接続されて共振回路を構成し、リーダ・ライタ１００から所定の高周波数の電力用電波信号が送信されてくると、これを受信して整流・平滑回路４５に供給する。整流・平滑回路４５は、動作用電源回路を構成するもので、共振回路から送信されてきた電力用電波信号を整流し、平滑化して一定電圧の直流電力（動作用電力）にしてＣＰＵ４４などに供給する。
【００４３】
リーダ・ライタ１００から送信されてくる信号は、電力用電波信号に重畳して送信されるようになっており、その信号は、変復調回路４３により復調されてＣＰＵ４４に与えられる。ＣＰＵ４４は、ＲＯＭ４６に記憶された動作プログラムに従って動作するもので、変復調回路４３から入力される信号に応じた処理を実行し、受信したデータをＥＥＰＲＯＭ４７に書き込んだり、ＥＥＰＲＯＭ４７からデータを読み出して変復調回路４３により変調し、アンテナ用コイル４１から電波信号として送信したりする。
【００４４】
なお、以上のようなＲＦＩＤタグ４０において、アンテナ用コイル４１はフィルム４８に印刷手段によって設けられ、変復調回路４３、ＣＰＵ４４、整流・平滑回路４５、ＲＯＭ４６、ＥＥＰＲＯＭ４７は小チップにして上記フィルム４８に実装され、そして該フィルム４８は図２（ｂ）に示すように原稿ｄ２の中に埋め込まれている。
【００４５】
また、書籍の如きブック型原稿ｄ３においては、図２（ｃ）に示すように背表紙部分に貼付されているので、原稿台ガラス１１上に載置された状態で、露光ユニット１６に取り付けられたリーダ・ライタ１００による識別情報の取得が可能であるのに加え、本棚に配架された場合であっても、背表紙部分あるＲＦＩＤタグ４０は、携帯型リーダライタ等との電波信号の送受信が可能なので、蔵書管理、在庫管理を容易に行うことが可能である。
【００４６】
本実施の形態においては、ＲＦＩＤタグ４０は、縦横４００μｍ、厚さ６０μｍの直方体形チップで、電波信号の周波数は２．４５ＧＨｚである。また、ＲＦＩＤタグ４０は読み取り専用であり、製造工程で１２８ビットの読み取り専用データを識別情報として製造段階でＲＯＭ４６に記録して出荷されている。なお、識別情報は、８ビットのヘッダ部、２８ビットの製造者識別番号、２４ビットの商品クラス識別番号、３６ビットの商品識別番号等により構成されている。
【００４７】
一方、露光ユニット１６及び原稿給紙台２１に取り付けられたリーダ・ライタ１００は、図３に示すように、送信アンテナ用コイル１０１を備えた送信部１０２及び受信アンテナ用コイル１０３を備えた受信部１０４からなり、それら送信部１０２及び受信部１０３は画像処理装置Ａ全体を制御する制御手段としての全体制御部５２に接続されている。
【００４８】
そして、ＲＦＩＤタグ４０と通信する場合、まず、全体制御部５２は、キャリア信号を送信部１０２で変調させて電力用電波信号として送信アンテナ用コイル１０１から送信させ、１ｃｍから３０ｃｍ程度の所定の領域に電波エリアを形成する。その後、送信すべきデータ信号を電力用電波信号に重畳するように送信部１０２で変調させて送信アンテナ用コイル１０１から送信させる。ＲＦＩＤタグ４０から送信された電波信号については、これを受信アンテナ用コイル１０３で受信させ、受信部１０４で復調させて識別情報として処理するようになっている。
【００４９】
次に、画像処理装置Ａの制御系５１を説明する。図４は、画像処理装置Ａの機能的構成を示すブロック図である。図４に示すように、画像処理装置Ａは、制御手段である全体制御部５２、画像読取制御部５３、ＲＡＭ５４、操作入力手段及びユーザＩＤ入力手段である操作入力部５５ａ、表示部５５、課金情報記憶手段、著作権情報記憶手段及びジョブ履歴記憶手段である記憶部５６、画像形成制御部５７、著作権情報の特定手段である識別情報処理部５８、課金算出手段である課金処理部５９、通信制御部６０により構成され、各部はバス６１により接続されている。
【００５０】
制御手段である全体制御部５２は、不図示のＣＰＵ（Ｃｅｎｔｒａｌ  Ｐｒｏｃｅｓｓｉｎｇ  Ｕｎｉｔ）等から構成され、記憶部５６に記憶されているプログラムをＲＡＭ５４に読み出し、当該プログラムに従って各部を集中制御する。すなわち、全体制御部５２は画像形成に関する各種処理を実行し、処理結果をＲＡＭ５４に格納すると共に表示部５５に表示させる。そして、ＲＡＭ５４に格納した処理結果を記憶部５６内部の所定の格納領域に保存させる。
【００５１】
画像読取制御部５３は、読取手段である原稿読取装置１０及び自動原稿送り装置２０を主に制御し、原稿読取装置１０で読み取った画像データを画像形成制御部５７あるいは通信制御部６０に出力する。ここで、画像データは、図形や写真などのイメージデータに限らず、文字や記号などのテキストデータも含む。
【００５２】
ＲＡＭ（Ｒａｎｄｏｍ  Ａｃｃｅｓｓ  Ｍｅｍｏｒｙ）５４は、全体制御部５２により実行制御される各種処理において、記憶部５６から読み出されたプログラム、入力、若しくは出力データ及びパラメータ等の一時的な格納領域を形成する。
【００５３】
表示手段である表示部５５は、ＬＣＤ（Ｌｉｑｕｉｄ  Ｃｒｙｓｔａｌ  Ｄｉｓｐｌａｙ）やＥＬ（Ｅｌｅｃｔｒｏ  Ｌｕｍｉｎｅｓｃｅｎｃｅ）等により構成され、全体制御部５２から入力される表示信号に従って画面上に各種操作釦や画像データの状態表示や著作権情報、課金情報の表示を行う。
【００５４】
また、表示部５５は、操作入力手段及びユーザＩＤ入力手段である操作入力部５５ａが一体的に構成されている。操作入力部５５ａは、透明電極が格子状に配置された感圧式（抵抗膜圧式）のタッチパネル等により構成されるが、視認性の観点から光の透過率が高いものが望ましい。操作入力部５５ａは、手指や専用のタッチペン等で押された力点のＸＹ座標を電圧値で検出し、検出された位置信号を操作信号として全体制御部５２に出力する。また、操作入力部５５ａは、数字釦や、各種設定を切り換える機能釦などの各種操作釦を備えている。
【００５５】
記憶部５６は、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−ＯｎｌｙＭｅｍｏｒｙ）等の不揮発性の半導体メモリにより構成され、画像処理装置Ａで実行可能な各種プログラムや機能に応じた設定内容などを記憶する。また、記憶部５６は、下記の各機能を実行するための記憶領域を有する。
（１）プリンタ３０による画像形成や、原稿読取装置１０による原稿の読み取りに対して支払う料金を算出するための情報である課金情報をＲＦＩＤタグ４０に付与された識別情報と対応付けて記憶する。
（２）プリンタ３０による画像形成や、原稿読取装置１０による原稿の読み取りに対して、警告の表示や動作の禁止等の制御を行うか、若しくは支払う料金を算出するための情報である著作権情報をＲＦＩＤタグ４０に付与された識別情報と対応付けて記憶する。
（３）プリンタ３０による画像形成や、原稿読取装置１０による原稿の読み取りの実行履歴を、画像形成や原稿読み取りの実行日時、操作入力部５５ａで入力されるユーザＩＤ、リーダ・ライタ１００で取得されたＲＦＩＤタグ４０の識別情報と対応付けて、ジョブ履歴として記憶する。
すなわち、記憶部５６は、本発明の請求項で記載した課金情報記憶手段、著作権情報記憶手段、ジョブ履歴記憶手段としての機能を有する。
【００５６】
画像形成制御部５７は、出力手段であるプリンタ３０を主に制御する。画像形成制御部７は、画像読取装置１０から出力された画像データに対して、操作入力部５５ａからの入力指示に従い、画像処理部３２に拡大縮小、回転及び位置変更などの画像処理をさせ、その画像処理した画像データを画像書込部３３に出力する。
【００５７】
特定手段である識別情報処理部５８は、記憶部５６に記憶された課金情報及び著作権情報の中から、リーダ・ライタ１００により取得されたＲＦＩＤタグ４０の識別情報に対応したものを特定する。具体的には、記憶部５６の課金情報及び著作権情報の記憶領域に、取得された識別情報と一致するものが含まれていないか対比を行い、一致するものがあった場合には、当該識別情報と対応付けられて記憶されている課金情報及び著作権情報を課金処理部５９及び全体制御部５２に出力し、一致するものが含まれていない場合には、一致するものが含まれていないという情報（例えば、ＮＵＬＬ値）を課金処理部５９及び全体制御部５２に出力する。
【００５８】
課金算出手段である課金処理部５９は、識別情報処理部５８で出力された課金情報あるいは著作権情報に基づいて、プリンタ３０による画像形成や、原稿読取装置１０による原稿の読み取りに対して、支払うべき料金を算出し、表示部５５や記憶部５６に出力する。具体的には、プリンタ３０でプリントした用紙の枚数や画像の総数、あるいは原稿読取装置１０で読み取った現行の総ページ数に、課金情報に含まれている画像１枚当たりの単価や用紙１枚当たりの単価を乗算して料金を算出するとともに、記憶部５６に記憶されたジョブ履歴に基づいて、ユーザＩＤ毎、ジョブの実行日時毎、あるいは識別情報毎に課金を集計し、表示部５５や記憶部５６に出力する。
【００５９】
通信制御部６０は、モデム（ＭＯＤＥＭ：Ｍｏｄｕｌａｔｅｒ／ＤＥＭｏｄｕｌａｔｅｒ）、ターミナルアダプタ（Ｔｅｒｍｉｎａｌ  Ａｄａｐｔｅｒ）等によって構成され、電話回線、ＩＳＤＮ回線、あるいは専用線などの通信回線を介してネットワークに接続される外部機器との通信を行うための通信制御を行う。通信制御部６０は、画像読取装置１０で読み取った画像データをネットワークに接続される外部機器に送信する場合には出力手段として機能することになる。
【００６０】
次に、画像処理装置Ａの動作を説明する。図５は、画像処理装置Ａの原稿読取装置１０に原稿が載置された後に、図４に示した画像処理装置Ａの制御系５１により実行される課金処理ならびに著作権管理処理を示す。以下、図５を参照して課金処理ならびに著作権管理処理について説明する。
【００６１】
ステップＳ１０１では、操作入力部５５ａからユーザＩＤが入力される（ＩＤ入力工程）。ユーザＩＤは、公知のものが利用可能である。なお、本実施の形態においてユーザとは、課金の支払を行う個人又は組織であって、必ずしも画像処理装置Ａを操作するユーザと同一であるとは限らない。
【００６２】
ステップＳ１０２では、原稿読取装置１０に原稿ｄ２又はｄ３が載置されると、リーダ・ライタ１００により原稿に付与されたＲＦＩＤタグ４０の識別情報が読み取られる（識別情報取得工程）。
【００６３】
ステップＳ１０３では、ＲＦＩＤタグの識別情報が取得されたか否かが判断される。ＲＦＩＤタグの識別情報が取得されると（ステップＳ１０３；ＹＥＳ）、ステップＳ１０４の処理が実行され、ＲＦＩＤタグの識別情報が取得されないと（ステップＳ１０３；ＮＯ）、ステップＳ１１０の処理が実行される。
【００６４】
ステップＳ１０４では、識別情報処理部５８が、記憶部５６の著作権情報記憶領域の中から、ステップＳ１０２で取得された識別情報に対応する著作権情報を検索する（著作権情報特定工程）。
【００６５】
ステップＳ１０５では、全体制御部５１が、ステップＳ１０４で検索された著作権情報にコピー又はスキャン禁止の制御情報があるか否かを判断する。著作権情報にコピー又はスキャン禁止の制御情報が含まれていると（ステップＳ１０５；ＹＥＳ）、ステップＳ１１２の処理が実行され、著作権情報にコピー又はスキャン禁止の制御情報が含まれていないと（ステップＳ１０５；ＮＯ）、ステップＳ１０６の処理が実行される。
【００６６】
ステップＳ１０６では、識別情報処理部５８が、記憶部５６の課金情報記憶領域の中から、ステップＳ１０２で取得された識別情報に対応する課金情報を検索する（課金情報特定工程）。
【００６７】
ステップＳ１０７では、全体制御部５１が、ステップＳ１０４で検索された著作権情報あるいはステップＳ１０６で検索された課金情報に著作権料の支払が必要か否かを判断する。課金情報に著作権料支払の必要があると（ステップＳ１０７；ＹＥＳ）、ステップＳ１０８の処理が実行され、課金情報に著作権料支払の必要がないと（ステップＳ１０７；ＮＯ）、ステップＳ１１０の処理が実行される。
【００６８】
ステップＳ１０８では、課金処理部５９が、ステップＳ１０４で検索された著作権情報あるいはステップＳ１０６で検索された課金情報に基づいて当該原稿のコピー又はスキャン料金を算出し（課金算出工程）、全体制御部５１が、表示部５５に例えば図６に示すように、著作権料を通常のコピー又はスキャン料金に追加した形で表示させ、ユーザに対して著作権料を上乗せしたコピー又はスキャン料金を支払うかどうかの入力を促す（金額表示工程）。
【００６９】
図５に戻って、ステップＳ１０９では、全体制御部５１が、ステップＳ１０８の表示に対して、操作入力部５５ａから著作権料を上乗せしたコピー又はスキャン料金の支払いを了承する旨の入力が所定時間内に行われるか否かを判断する。了承する旨の入力が所定時間内に行われると（ステップＳ１０９；ＹＥＳ）、ステップＳ１１１の処理が実行され、了承する旨の入力が所定時間内に行われないと（ステップＳ１０９；ＮＯ）、ステップＳ１１３の処理が実行される。
【００７０】
ステップＳ１１０では、課金処理部５９が通常のコピー又はスキャンを行った際の料金を算出し、全体制御部５１が画像処理装置Ａによるコピー又はスキャンを実行させる。
【００７１】
ステップＳ１１１では、全体制御部５１が画像処理装置Ａによるコピー又はスキャンを実行させる。
【００７２】
ステップＳ１１２では、全体制御部５１が、表示部５５に当該原稿は、コピー又はスキャンができない旨を表示させる。
【００７３】
ステップＳ１１３では、全体制御部５１が、画像処理装置Ａによるコピー又はスキャンを中止させて、処理を終了する（出力中止工程）。
【００７４】
ステップＳ１１４では、全体制御部５１が、コピー又はスキャンの実行日時、ステップＳ１０１で入力されたユーザＩＤ、ステップＳ１０２で取得されたＲＦＩＤタグ４０の識別情報とステップＳ１０８又はステップＳ１１０で算出された料金とを対応付けて、ジョブ履歴として記憶部５６のジョブ履歴記憶領域に記憶させて（ジョブ履歴記憶工程）処理を終了する。
【００７５】
以上説明したように、画像処理装置Ａによれば、表示部５５による課金額の表示を行ってから所定時間内に操作部入力部５５ａからの原稿読取装置１０による読み取り又はプリンタ３０による出力を行う指示の入力がなかった場合、リーダ・ライタ１００で取得されたＲＦＩＤタグ４０の識別情報が付与された原稿のコピー又はスキャンを中止する制御を行うので、著作権料相当額（及びコピー料金）の支払受諾を保留したまま、画像処理装置Ａの元を立ち去るユーザがいても、所定時間経過後にはに支払う意志のない著作権料相当額を支払うという不利益をユーザに対して被らせることがない。
【００７６】
また、画像処理装置Ａによれば、原稿に付与されたＲＦＩＤタグ４０の識別情報の取得は、原稿読取装置１０に設けられたリーダ・ライタ１００によって所定の領域に電波エリアを形成し、この電波エリア内に存在するＲＦＩＤタグ４０の識別情報を取得することによって行われるので、ユーザはバーコードが付された箇所を探し出すことなく、ＲＦＩＤタグ４０が付された原稿の識別情報と対応付けられた著作権情報に基づく、出力の制限や著作権料の支払義務を知ることができ、ユーザにとって煩雑な作業や無駄な工数を発生させることなく、著作物の不法なコピーを阻止したり、正当な対価が著作者に支払われることを可能とする。
【００７７】
図７は、図５のステップＳ１１４で記憶部５６に記憶されるジョブ履歴のデータ構成の一例と、その表示例を示す。図７（ａ）は、ジョブ履歴のデータ構成の一例であり、図５のステップＳ１０１で入力されたユーザＩＤ、コピー又はスキャンの実行日時、図５のステップＳ１１０又はステップＳ１１１で原稿読取装置１０が読み取った（スキャンした）枚数あるいはプリンタ３０が出力したプリント枚数、図５のステップＳ１０２で取得されたＲＦＩＤタグ４０の識別情報、図５のステップＳ１０８又はステップＳ１１０で算出された料金とが対応付けられて、例えばＣＳＶファイル等の表形式で記憶部５６のジョブ履歴領域に記憶されている。
【００７８】
図７（ｂ）は、月度毎にユーザＩＤ毎に集計されたジョブ履歴の表示例である。図７（ａ）に示したジョブ履歴に含まれるコピー（スキャン）枚数と支払が発生する著作権料とを、ユーザＩＤ毎に合算集計している（課金集計工程）。このように集計することにより、ユーザ毎に著作権料がいくら課金されていたのか、容易に知ることができる。
【００７９】
図７（ｃ）は、月度毎にＲＦＩＤタグ４０の識別情報毎に集計されたジョブ履歴の表示例である。図７（ａ）に示したジョブ履歴に含まれるコピー（スキャン）枚数と支払が発生する著作権料とを、識別情報毎に合算集計している（課金集計工程）。このように集計することにより、識別情報毎に著作権料を支払わなければならないのか、容易に知ることができる。
【００８０】
なお、上記実施の形態における記述内容は、本発明に係る画像処理装置の好適な一例であり、これに限定されるものではない。
【００８１】
例えば、本実施の形態において、画像処理装置としてスキャナ付プリンタを例にとり説明したが、複写機、ファクシミリ、プリンタ情報提供端末（例えばキオスク端末）等の画像処理装置に対しても適用可能である。
【００８２】
また、本実施の形態においては、画像処理装置Ａに内蔵された制御系５１と記憶部５６に記憶された著作権情報、課金情報及びジョブ履歴を例にとり説明したが、制御系５１は、画像処理装置Ａを制御可能なコンピュータが具備しており、画像処理システムとして構成すること可能である。
【００８３】
また、本発明の目的は前述した実施形態の機能を実現するソフトウェアのプログラムコードを記録した記憶媒体を、システムあるいは装置に供給し、そのシステムあるいは装置のコンピュータ（ＣＰＵ若しくはＭＰＵ）が記憶媒体に格納されたプログラムコードを読出し実行することによっても、達成されることは言うまでもない。
【００８４】
この場合、記憶媒体から読出されたプログラムコード自体が前述した実施形態の機能を実現することになり、そのプログラムコードを記憶した記憶媒体は本発明を構成することになる。
【００８５】
プログラムコードを供給するための記憶媒体としては、例えばフロッピー（Ｒ）ディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【００８６】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部又は全部を行い、その処理によって前述した実施形態の機能が実現される場合も含まれることは言うまでもない。
【００８７】
更に、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部又は全部を行い、その処理によって前述した実施形態の機能が実現される場合も含まれることは言うまでもない。
【００８８】
その他、画像処理装置を構成する各構成の細部構成及び細部動作に関しても、本発明の趣旨を逸脱することのない範囲で適宜変更可能である。
【図面の簡単な説明】
【００８９】
【図１】本発明にかかわる画像処理装置の全体構成概略図である。
【図２】本発明にかかわる無線媒体であるＲＦＩＤタグの電気的構成を示すブロック図ならびに原稿への取り付け例を示す模式図である。
【図３】本発明にかかわる識別情報取得手段であるリーダ・ライタの電気的構成を示すブロック図である。
【図４】本発明にかかわる画像処理装置の機能的構成を示すブロック図である。
【図５】画像処理装置の制御系により実行される課金処理ならびに著作権管理処理を説明するフローチャートである。
【図６】本実施形態における著作権料を上乗せしたコピー又はスキャン料金の表示画面の一例を示す模式図である。
【図７】本発明にかかわるジョブ履歴のデータ構成の一例と、その表示例を示す模式図である。
【符号の説明】
【００９０】
Ａ  画像処理装置
１０  原稿読取装置
１６  露光ユニット
１００  リーダ・ライタ
２０  自動原稿送り装置
２１  原稿給紙台
３０  プリンタ
４０  ＲＦＩＤタグ
４１  アンテナ用コイル
４８  フィルム
５２  全体制御部
５３  画像読取制御部
５４  ＲＡＭ
５５  表示部
５５ａ  操作入力部
５６  記憶部５６
５７  画像形成制御部
５８  識別情報処理部
５９  課金処理部
６０  通信制御部
【図１】
2005085202.tif 000003
【図２】
2005085202.tif 000004
【図３】
2005085202.tif 000005
【図４】
2005085202.tif 000006
【図５】
2005085202.tif 000007
【図６】
2005085202.tif 000008
【図７】
2005085202.tif 000009